(57)【特許請求の範囲】
【請求項１】
書物を載置する載置台と前記書物を前記載置台に固定する固定部とを備え、前記書物を水平面に対して傾斜した状態で固定する読書台であって、
前記載置台は、幅方向の一端側に設けられた一端側載置台と、前記幅方向の他端側に設けられた他端側載置台と、前記一端側載置台と前記他端側載置台との間に設けられた中央載置台とを有し、
前記中央載置台は、前記一端側載置台から前記他端側載置台までの幅よりも短い幅に形成され、前記一端側載置台と前記他端側載置台との間を前記幅方向に沿って移動可能に支持されている
ことを特徴とする読書台。
【請求項２】
薄板状に形成された前記載置台の使用者側の表面の下端に設けられ、少なくとも前記一端側載置台から前記他端側載置台まで延びる棒状に形成されて前記一端側載置台及び前記他端側載置台を連結し、載置された前記書物の下端縁を支持する下端縁支持部と、
前記載置台の使用者とは反対側の裏面の下端に設けられて前記載置台の下端部を補強する下端補強部であって、少なくとも前記下端縁支持部と対向する位置において前記一端側載置台から前記他端側載置台まで延びる棒状に形成されて前記一端側載置台と前記他端側載置台とを連結する下端補強部と、
前記載置台の前記裏面の上端部に設けられて前記載置台の上端部を補強する上端補強部であって、少なくとも前記下端補強部と対向する位置において前記一端側載置台から前記他端側載置台まで延びる棒状に形成されて前記一端側載置台と前記他端側載置台とを連結する上端補強部と、
前記中央載置台の前記裏面の上端部から外方に突出して設けられ、前記上端補強部の幅方向中央部のうちの少なくとも上端に接触する接触部とを更に備え、
前記中央載置台は、下端が前記下端縁支持部と前記下端補強部との間に挟まれ、且つ、上端部が前記接触部と前記上端補強部の上端と接触した状態で支持されており、前記接触部が前記上端補強部の上端に接触しながら前記幅方向に案内されてスライド移動可能となっている
ことを特徴とする請求項１に記載の読書台。
【発明の詳細な説明】
【技術分野】
【０００１】
本発明は、読書台に関する。
【背景技術】
【０００２】
従来より、本や新聞等の書物を水平面に対して傾斜した状態で固定して読むための読書台が提案されている。
【０００３】
特許文献１では、長方形の平板状の本受けと、本受けの後面に設けられて本受けを傾斜した状態で支持するステーと、本受けの前面に設けられて本受けに載せた本の下縁を支持する幅方向に延びる棒状の縁材とを有する読書台が開示されている。また、特許文献２では、長方形の平板によって構成された台板と、台板の後面に設けられて台板を傾斜した状態で支持する支持脚と、台板の前方に設けられて台板に載せた本を開いた状態で押さえつける抑え板とを有する読書台が開示されている。
【０００４】
また、特許文献３では、連結された３枚の平板Ａ〜Ｃをそれぞれ角度調節可能とし、平板Ａ、Ｂの角度を調整して本や新聞を載せる角度を調整し、平板Ｂ、Ｃの角度を調整して本や新聞を開く角度を調整するゴロ寝読書台が開示されている。特許文献３では、下方に設けられた平板Ｂには、本や新聞の下側の長辺方向の縁（本や新聞の一端縁）を支持する下支えバーが上下方向、すなわち、本や新聞の短辺方向にスライド移動可能に支持されており、上方に設けられた平板Ｃには、本や新聞の上側の長辺方向の縁部（本や新聞の他端縁部）を留めるクリップが上下方向にスライド移動可能に支持されている。
【先行技術文献】
【特許文献】
【０００５】
【特許文献１】実開平７−５４３３号公報
【特許文献２】特開２０１１−４５７０３号公報
【特許文献３】特開２００１−１０４０５６号公報
【発明の概要】
【発明が解決しようとする課題】
【０００６】
特許文献１、２に記載の技術では、本を載せることが可能な程度の大きさの台板（本受け）では、新聞を受けることができない問題がある。また、特許文献３に記載の技術では、本だけでなく新聞も載せて読むことが可能であるが、載せる本や新聞の大きさに合わせて下支えバーやクリップをスライドさせるための構成が必要となり、構成が複雑になるという問題があるだけでなく、使用者にとっては本や新聞を平板Ｂ、Ｃに載せて読むまでの操作が複雑になるという問題がある。
【０００７】
本発明は、上述のような事情に鑑みてなされたものであり、簡素な構成で様々なサイズの書物を載せて固定することが可能な読書台を提供することを目的とする。
【課題を解決するための手段】
【０００８】
上記目的を達成するため、本発明に係る読書台は、
書物を載置する載置台と前記書物を前記載置台に固定する固定部とを備え、前記書物を水平面に対して傾斜した状態で固定する読書台であって、
前記載置台は、幅方向の一端側に設けられた一端側載置台と、前記幅方向の他端側に設けられた他端側載置台と、前記一端側載置台と前記他端側載置台との間に設けられた中央載置台とを有し、
前記中央載置台は、前記一端側載置台から前記他端側載置台までの幅よりも短い幅に形成され、前記一端側載置台と前記他端側載置台との間を前記幅方向に沿って移動可能に支持されている
ことを特徴とする。
【発明の効果】
【０００９】
本発明によれば、書物が載置台に載置されたときに書物の大きさに合わせて固定部で書物を固定し易い位置に中央載置台を幅方向に移動させて書物を固定することができ、中央載置台を幅方向に移動させて書物を固定しない読書台よりも簡素な構成で様々なサイズの書物を載せて固定することができる。
【図面の簡単な説明】
【００１０】
【図１】本発明に係る読書台の構成例を示す斜視図である。
【図２】（Ａ）読書台の裏面図、（Ｂ）読書台の底面図である。
【図３】中央載置台が左接触位置と左接触位置との間で移動する状態を説明するための図である。
【発明を実施するための形態】
【００１１】
以下に、本発明を実施するための形態について図面を参照して詳細に説明する。なお、図中同一または相当する部分には同じ符号を付す。また、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、左方、右方、上方、下方、または、前側又は表側、後側又は裏側、左側、右側、上側、下側とする。
【００１２】
図１は本発明に係る読書台の構成例を示す斜視図である。
本発明に係る読書台１は、図１に示すように、載置台２と、支持脚３と、クリップ（固定部）４とを備える。
【００１３】
載置台２は、左側載置台（一端側載置台）５と、右側載置台（他端側載置台）６と、中央載置台７とによって構成されている。本実施形態の各載置台５〜７は、それぞれ上下方向の長さが同一で縦長の長方形の薄板状に形成されている。なお、本実施形態では、各載置台５〜７の幅（左右方向の長さ）については、左側載置台５と右側載置台６とが同一であり、中央載置台７が他の載置台５、６よりも幅広に設計されている。
【００１４】
図２（Ａ）は読書台の裏面図、図２（Ｂ）は読書台の底面図である。
左側載置台５及び右側載置台６には、前面（使用者側の表面）の下端に、左側載置台５左端から右側載置台６右端まで左右方向（幅方向）に延びる四角柱状の下端縁支持部８が支持されている（図１、図２（Ｂ）参照）。また、左側載置台５及び右側載置台６には、後面（使用者とは反対側の裏面）の下端に、左側載置台５左端部から右側載置台６右端部まで左右方向に延びる四角柱状の下端補強部９が支持されている（図１、図２（Ａ）、図２（Ｂ）参照）。また、左側載置台５及び右側載置台６には、後面の上端部に、下端補強部９に対向して延びる四角柱状の上端補強部１０が支持されている（図１、図２（Ａ）参照）。また、左側載置台５には、後面の左端部に、下端補強部９上端から上端補強部１０下端まで上下方向に延びる四角柱状の左端補強部１１が支持されており、右側載置台６には、後面の右端部に、左端補強部１１に対向して延びる四角柱状の右端補強部１２が支持されている（図２（Ａ）参照）。
【００１５】
中央載置台７は、左側載置台５右端と右側載置台６左端との間の間隔１３よりも、左右方向の幅が短くなるように予め設計されている（図２（Ａ）参照）。また、中央載置台７は、下端が下端縁支持部８と下端補強部９との間に挟まれており、上端部が上端補強部１０の中央部の前端面と接触している（図２（Ｂ）参照）。また、中央載置台７には、上端補強部１０の中央部の上端面と下端面と後端面と接触して上端補強部１０の中央部の外方を囲むコの字型の左側接触部１４と右側接触部１５とが左右方向に間隔を空けて支持されている（図２（Ａ）参照）。
【００１６】
図３は中央載置台が左接触位置と左接触位置との間で移動する状態を説明するための図である。
よって、中央載置台７は、各接触部１４、１５が上端補強部１０に接触しながら左右方向に案内されることによって間隔１３の範囲内でスライド移動可能となっている。すなわち、中央載置台７は、左端が左側載置台５右端と接触する左接触位置（図３の実線参照）と、右端が右側載置台６左端と接触する右接触位置（図３の破線参照）との間をスライド移動可能になっている。
【００１７】
下端補強部９と上端補強部１０との間には、左右方向中央部に左端補強部１１及び右端補強部１２と対向して延びる四角柱状の中央補強部１６が支持されている。中央補強部１６は、前端面が上端補強部１０の左右方向中央部と接触している。
なお、本実施形態では、上端補強部１０の上方、左端補強部１１の左方、右端補強部１２の右方には、載置台２の上端部（各載置台５〜７の上端部）、左端部（左側載置台５の左端部）、右端部（右側載置台６の右端部）が露出しており、それぞれクリップ４が留められるようになっている。また、左側載置台５は、中央載置台７が左接触位置に移動していなければ右端部にもクリップ４が留められるようになっており、右側載置台６は、中央載置台７が右接触位置に移動していなければ左端部にもクリップ４が留められるようになっている。さらに、中央載置台７は、左接触位置に移動していなければ左端部にもクリップ４が留められるようになっており、右接触位置に移動していなければ右端部にもクリップ４が留められるようになっている。
【００１８】
また、支持脚３は、左側上端支持脚１７と左側下端支持脚１８とを有する。左側上端支持脚１７及び左側下端支持脚１８は、四角柱状に形成されて左端補強部１１の左方に設けられている。左側上端支持脚１７及び左側下端支持脚１８は、図２（Ａ）、図３に示す収容位置に移動したときには、左側上端支持脚１７が上端補強部１０の左端部下方から左側載置台５の左端中央部まで下方向に延びた状態で収容されており、左側下端支持脚１８が下端補強部９の左端部上方から左側載置台５の左端中央部に向かって上方向に延びた状態で収容されている。なお、本実施形態では、左側上端支持脚１７の上下方向の長さと、左側下端支持脚１８の上下方向の長さとの比が３：１となるように予め設計されている。また、本実施形態では、左側上端支持脚１７及び左端補強部１１の上端部には、左右方向に延びる左側上端貫通孔（図２（Ａ）及び図３の点線参照）を左側上端ボルト１９が貫通して左側上端ボルト１９には左側上端蝶ナット２０が螺子止めされている。また、本実施形態では、左側下端支持脚１８及び左端補強部１１の下端部には、左右方向に延びる左側下端貫通孔（図２（Ａ）及び図３の点線参照）を左側下端ボルト２１が貫通して左側下端ボルト２１には左側下端蝶ナット２２が螺子止めされている。
【００１９】
また、支持脚３は、右側上端支持脚２３と右側下端支持脚２４とを有する。右側上端支持脚２３及び右側下端支持脚２４は、左側上端支持脚１７及び左側下端支持脚１８と同様に、四角柱状に形成されて右端補強部１２の右方に設けられている。右側上端支持脚２３及び右側下端支持脚２４は、収容位置に移動したときには、右側上端支持脚２３が上端補強部１０の右端部下方から右側載置台６の右端中央部まで下方向に延びた状態で収容されており、右側下端支持脚２４が下端補強部９の右端部上方から右側載置台６の右端中央部に向かって上方向に延びた状態で収容されている。なお、本実施形態では、右側上端支持脚２３と左側上端支持脚１７との長さが同一であり、右側下端支持脚２４と左側下端支持脚１８との長さが同一となるように予め設計されている。このため、左側上端支持脚１７及び左側下端支持脚１８と同様に、右側上端支持脚２３の上下方向の長さと、右側下端支持脚２４の上下方向の長さとの比が３：１となるように予め設計されている。また、本実施形態では、左側上端支持脚１７と同様に、右側上端支持脚２３及び右端補強部１２の上端部には、左右方向に延びる右側上端貫通孔（図２（Ａ）及び図３の点線参照）を右側上端ボルト２５が貫通して右側上端ボルト２５には右側上端蝶ナット２６が螺子止めされている。また、本実施形態では、左側下端支持脚１８と同様に、右側下端支持脚２４及び右端補強部１２の下端部には、左右方向に延びる右側下端貫通孔（図２（Ａ）及び図３の点線参照）を右側下端ボルト２７が貫通して右側下端ボルト２７には右側下端蝶ナット２８が螺子止めされている。
【００２０】
この結果、各支持脚１７、１８、２３、２４は、図示しないそれぞれの貫通孔の位置を回転中心として、図２（Ａ）、図３に示す収容位置と図１に示す開放位置との間を回転移動することが可能となっている。このため、各支持脚１７、１８、２３、２４をそれぞれ開放位置に移動させたときには、載置台２の上方を後方（使用者の反対側）に傾斜した状態が支持される。なお、本実施形態では、各支持脚１７、１８、２３、２４の各回転中心にはボルト１９、２１、２５、２７が蝶ナット２０、２２、２６、２８で螺子止めされているため、螺子止めの強度（締め具合）を強く設定すれば収容位置と開放位置との間の中間位置に各支持脚１７、１８、２３、２４を移動させた状態で保持することができ、載置台２の傾斜角度を調節することができる。
【００２１】
なお、本実施形態では、左側のボルト１９、２１及び蝶ナット２０、２２が左側載置台５の左端よりも右方に配置されており、使用者が前方から後方に向かって左側載置台５の前面を見たときに、左側のボルト１９、２１及び蝶ナット２０、２２が後面に隠れるように予め設計されている。また、右側のボルト２５、２７及び蝶ナット２６、２８についても左側のボルト１９、２１及び蝶ナット２０、２２と同様に、右側載置台６の右端よりも左方に配置されており、使用者が前方から後方に向かって右側載置台６の前面を見たときに、右側のボルト２５、２７及び蝶ナット２６、２８が後面に隠れるように予め設計されている。なお、本実施形態では、ボルト１９、２１、２５、２７及び蝶ナット２０、２２、２６、２８が載置台５、６の後面に隠れるようにして美感を損ねないように設計したが、例えば、蝶ナット２０、２２、２６、２８が載置台５、６の外方（左方、右方）に露出させて螺子止めの強度を載置台５、６の前方から調整し易いようにしてもよい。
【００２２】
以上説明したように、本実施形態に係る読書台１によれば、図３に示すように、載置台２の中央載置台７が使用者の操作によって左接触位置と右接触位置との間をスライド移動可能になっている。このため、使用者は、書物が載置台２に載置されたときに書物の大きさに合わせてクリップ４で書物を載置台２に固定し易い位置、すなわち、書物の端部と各載置台５〜７の端部とをクリップ４で挟み易い位置に中央載置台７を左右方向に移動させて書物を固定することができる。この結果、本実施形態に係る読書台１は、中央載置台７を左右方向に移動させて書物を固定しない読書台よりも簡素な構成で様々なサイズの書物を載せて固定することができる。
【００２３】
特に、本実施形態に係る読書台１によれば、中央載置台７は、下端が下端縁支持部８と下端補強部９との間に挟まれた状態で、上端部に設けられた各接触部１４、１５が上端補強部１０に接触しながら左右方向に案内されることによって間隔１３の範囲内でスライド移動可能となっている。この結果、本実施形態に係る読書台１は、中央載置台７が前後方向や上下方向に移動不能となるように支持された状態で左右方向にのみスライド移動させることができる。なお、本実施形態のように、上端補強部１０の中央部の外方を囲むコの字型の接触部１４、１５を設けて上下方向に移動できない、すなわち、中央載置台７が上方や下方に抜き取ることができないようにすることが好ましいが、例えば、上端補強部１０の中央部の上端面に接触する突部を設けて少なくとも下方には抜け落ちないようにしてもよい。
【００２４】
また、本実施形態に係る読書台１によれば、各支持脚１７、１８、２３、２４は、図１に示す開放位置と図２に示す収容位置との間をそれぞれ移動させることができる。この結果、本実施形態に係る読書台１は、図２に示すように、使用後に平板状とすることができるので（特に図２（Ｂ）参照）、使用後に平板状にできない読書台よりも使用者の持ち運びをし易くしたり、片付けられた時の収納スペースを低減したりすることができる。
【００２５】
なお、上記実施形態では、読書台１の美感を考慮して、左側載置台５と右側載置台６との幅を同一としたが、異なるようにしてもよい。また、中央載置台７が他の載置台５、６よりも幅広にしたが狭くしてもよい。すなわち、各載置台５〜６の幅の関係は任意に変更可能である。各載置台５〜６の幅の関係を変更した場合、更に様々なサイズの書物に対応可能となる可能性がある。
【００２６】
なお、上記実施形態では、載置台２に装着するものとしてクリップ４を例示したが、例えば、読書のために必要なルーペ（虫眼鏡）やライト（照明）等を装着してもよい。この場合、例えば、ルーペやライトとクリップとを連結したものを用いる必要がある。また、上記実施形態に係る読書台１は、載置台２に書物を載置して読書をする用途を想定しているが、例えば、クリップ４でメモ用紙を書物から離れた位置に留めて書物の内容に基づくメモを記載することも可能である。
【００２７】
なお、上記実施形態では、載置台２に書物を固定するためにクリップ４を設けたが、載置台２に書物を固定する部材（固定部）としてはこれに限定されず、例えば、書物を載置台２に括り付けるためのバンド等であってもよい。また、例えば、載置台２に被装着部を設ける必要がある可能性があるが、書物を載置台２側に押さえつける押圧部材であってもよい。
【００２８】
なお、上記実施形態では、各上端支持脚１７、２３と各下端支持脚１８、２４とを用いることにより、載置台２を傾斜させているが、例えば、各下端支持脚１８、２４を省略して各上端支持脚１７、２３のみを用いて載置台２を傾斜させてもよい。また、柱状の各支持脚１７、１８、２３、２４に替えて三角板状の支持脚を用いて載置台２を傾斜させてもよい。この場合、三角板状の支持脚を折りたたみ式や取り外し式にする等して持ち運びし易いようにする機構を備えていることが好ましい。
【００２９】
なお、上記実施形態では、中間位置に各支持脚１７、１８、２３、２４を移動させることにより、載置台２の傾斜角度を調節したが、例えば、各上端支持脚１７、２３を伸縮可能な伸縮ポール等によって構成することにより、載置台２の傾斜角度を調節してもよい。
なお，上記実施形態では、各支持脚１７、１８、２３、２４は、図１に示す開放位置に移動したときに、机や床等の水平面に固定支持される柱状に形成したが、例えば、開放位置に移動したときの各支持脚１７、１８、２３、２４の下端にキャスターを設ける等して水平面を移動可能としてもよい。
【００３０】
その他、上記実施形態に係る読書台１の構成は一例であり、本発明が解決しようとする課題を解決可能な限りにおいて任意に変更および修正が可能である。
【符号の説明】
【００３１】
１…読書台、２…載置台、３…支持脚、４…クリップ、５…左側載置台、６…右側載置台、７…中央載置台、８…下端縁支持部、９…下端補強部、１０…上端補強部、１３…間隔、１４…左側接触部、１５…左側接触部。
【要約】
【課題】簡素な構成で様々なサイズの書物を載せて固定する。
【解決手段】載置台２の中央載置台７は、使用者の操作によって左接触位置と右接触位置との間をスライド移動可能になっている。使用者は、書物が載置台２に載置されたときに書物の大きさに合わせてクリップで書物を載置台２に固定し易い位置、すなわち、書物の端部と各載置台５〜７の端部とをクリップで挟み易い位置に中央載置台７を左右方向に移動させて書物を固定する。
【選択図】図３【図１】
0005649096.tif 000002
【図２】
0005649096.tif 000003
【図３】
0005649096.tif 000004